(57)【特許請求の範囲】
【請求項１】
表面に印刷が施された枚葉印刷物を一枚ずつ搬送し、前記枚葉印刷物を一枚おきに表裏反転させて表面同士が腹合わせに積載されるようにする枚葉印刷物の搬送装置であって、
前記一枚おきに表裏反転させる機構が、チェーングリッパーを具備し平行に走行する２組のエンドレスチェーンでなり、その１組のエンドレスチェーンは直線状の経路を有し、もう一方の組のエンドレスチェーンは途中に凸状の経路を有し、前記直線状の経路を有するエンドレスチェーンに具備したチェーングリッパーで反転を要しない枚葉印刷物の前後端を摘み、途中に凸状の経路を有するエンドレスチェーンに具備したチェーングリッパーで反転を要する枚葉印刷物の前端を摘み、その後端を前記直線状の経路を有するエンドレスチェーンに具備したチェーングリッパーで摘み、前記凸状の経路の位置で前記反転を要する枚葉印刷物の表裏が反転されることを特徴とする枚葉印刷物の搬送装置。
【請求項２】
表面に印刷が施された枚葉印刷物を一枚ずつ搬送し、前記枚葉印刷物を一枚おきに表裏反転させて表面同士が腹合わせに積載されるようにする枚葉印刷物の搬送装置であって、
前記一枚おきに表裏反転させる機構が、チェーングリッパーを具備し平行にもしくは並列に走行する２組のエンドレスチェーンでなり、その１組のエンドレスチェーンは直線状の経路を有し、もう一方の組のエンドレスチェーンは途中に左右が捩じれて反転する経路を有し、前記直線状の経路を有するエンドレスチェーンに具備したチェーングリッパーで反転を要しない枚葉印刷物の前端を摘み、途中に左右が捩じれて反転する経路を有するエンドレスチェーンに具備したチェーングリッパーで反転を要する枚葉印刷物の前端を摘み、前記左右が捩じれて反転する経路の位置で前記反転を要する枚葉印刷物の表裏が反転されることを特徴とする枚葉印刷物の搬送装置。
【請求項３】
表面に印刷が施された枚葉印刷物を一枚ずつ搬送し、前記枚葉印刷物を一枚おきに表裏反転させて表面同士が腹合わせに積載されるようにする枚葉印刷物の搬送装置であって、
前記一枚おきに表裏反転させる機構が、チェーングリッパーを具備し走行する１組のもしくは並列に走行する２組のエンドレスチェーンでなり、そのエンドレスチェーンに具備されたチェーングリッパーで枚葉印刷物の後端を摘んで押し、反転を要する枚葉印刷物と反転を要しない枚葉印刷物とが交互に入るケースに挿入し、前記反転を要する枚葉印刷物が挿入されたケースを左右もしくは前後に半回転せしめ、前記両ケース中の枚葉印刷物を後部エンドレスチェーンに具備されたチェーングリッパーで枚葉印刷物の前端を摘んで引き出すことを特徴とする枚葉印刷物の搬送装置。
【発明の詳細な説明】
【技術分野】
【０００１】
本発明は、食品等を収納する紙容器に供される枚葉印刷物の搬送装置に関するものであり、特に印刷面からの臭気成分、異味成分、その他の成分が食品内容物側（裏面）の面に移行することを防ぐ枚葉印刷物の搬送装置に関する。
【背景技術】
【０００２】
紙製容器は年々高機能化、高性能化が進んでおり、中でも食品用途に関しては内容物の品質保持を目的とし、容器の機能を高める工夫がされている。例えば、ガスバリア性を付与したり、遮光性を付与したりすることは周知であり、これら高性能化に加え、美粧性や種々の情報の提示等を目的とした印刷が表面に施されているのが一般的である。
【０００３】
当然上記食品用途の紙製容器の製造方法に印刷技術を用いており、その印刷には印刷インキ、光沢等を付与するニスという材料が用いられ、これら材料には溶剤、樹脂、添加剤などが含まれていることが多く、それらの成分またはそれらが化学変化により生成する成分が、内容物を充填した際、臭いや味への影響（臭気、味覚の変化）を及ぼすことが懸念される。
【０００４】
上記紙製容器用の印刷には、枚葉印刷方式が一般的で、印刷後の印刷物の印刷面と、裏面（内容物側）が接して積載される（積まれる）。印刷直後の比較的温度が高い状態で積まれると、温度と自重により印刷物同士はかなりの密着性で接触することになる。
【発明の開示】
【発明が解決しようとする課題】
【０００５】
このように印刷面と裏面が接触した状態で積層された場合、前述の、内容物の臭い、味に影響を与える成分（物質）が裏面にあるフィルム（食品用途の場合、内容物に接する側にポリエチレンフィルム等がラミネートされているのが一般的である）に移行してしまう危惧がある。
【０００６】
このような製造方法で作成されている現在の食品用紙製容器では、内容物を充填した後、異臭、異味が感じられ、消費者からのクレーム等で問題とされる危惧のあるものであった。
【０００７】
このような問題を解決するために、印刷インキやニス類等の成分の見直しや、印刷条件などを見直す検討がなされてきているが、印刷物の印刷面と裏面が接してしまうので、少なからず成分は裏面に移ってしまい、改善の効果が充分に発揮できない状況となっていた。
【０００８】
本発明は、かかる従来技術の問題点を解決するものであり、その課題とするところは、印刷後の枚葉印刷物が積載される際に、表面の印刷面と裏面とを接触させないようにし、印刷インキやニス類等の成分が裏面に移行しないようにする枚葉印刷物の搬送装置を提供することにある。
【課題を解決するための手段】
【００１０】
本発明に於いて上記課題を達成するために、まず請求項１の発明では、表面に印刷が施された枚葉印刷物を一枚ずつ搬送し、前記枚葉印刷物を一枚おきに表裏反転させて表面同士が腹合わせに積載されるようにする枚葉印刷物の搬送装置であって、前記一枚おきに表裏反転させる機構が、チェーングリッパーを具備し平行に走行する２組のエンドレスチェーンでなり、その１組のエンドレスチェーンは直線状の経路を有し、もう一方の組のエンドレスチェーンは途中に凸状の経路を有し、前記直線状の経路を有するエンドレスチェーンに具備したチェーングリッパーで反転を要しない枚葉印刷物の前後端を摘み、途中に凸状の経路を有するエンドレスチェーンに具備したチェーングリッパーで反転を要する枚葉印刷物の前端を摘み、その後端を前記直線状の経路を有するエンドレスチェーンに具備したチェーングリッパーで摘み、前記凸状の経路の位置で前記反転を要する枚葉印刷物の表裏が反転されることを特徴とする枚葉印刷物の搬送装置としたものである。
【００１１】
また、請求項２の発明では、表面に印刷が施された枚葉印刷物を一枚ずつ搬送し、前記枚葉印刷物を一枚おきに表裏反転させて表面同士が腹合わせに積載されるようにする枚葉印刷物の搬送装置であって、前記一枚おきに表裏反転させる機構が、チェーングリッパーを具備し平行にもしくは並列に走行する２組のエンドレスチェーンでなり、その１組のエンドレスチェーンは直線状の経路を有し、もう一方の組のエンドレスチェーンは途中に左右が捩じれて反転する経路を有し、前記直線状の経路を有するエンドレスチェーンに具備したチェーングリッパーで反転を要しない枚葉印刷物の前端を摘み、途中に左右が捩じれて反転する経路を有するエンドレスチェーンに具備したチェーングリッパーで反転を要する枚葉印刷物の前端を摘み、前記左右が捩じれて反転する経路の位置で前記反転を要する枚葉印刷物の表裏が反転されることを特徴とする枚葉印刷物の搬送装置
としたものである。
【００１２】
また、請求項３の発明では、表面に印刷が施された枚葉印刷物を一枚ずつ搬送し、前記枚葉印刷物を一枚おきに表裏反転させて表面同士が腹合わせに積載されるようにする枚葉印刷物の搬送装置であって、前記一枚おきに表裏反転させる機構が、チェーングリッパ
ーを具備し走行する１組のもしくは並列に走行する２組のエンドレスチェーンでなり、そのエンドレスチェーンに具備されたチェーングリッパーで枚葉印刷物の後端を摘んで押し、反転を要する枚葉印刷物と反転を要しない枚葉印刷物とが交互に入るケースに挿入し、前記反転を要する枚葉印刷物が挿入されたケースを左右もしくは前後に半回転せしめ、前記両ケース中の枚葉印刷物を後部エンドレスチェーンに具備されたチェーングリッパーで枚葉印刷物の前端を摘んで引き出すことを特徴とする枚葉印刷物の搬送装置としたものである。
【発明の効果】
【００１４】
本発明は以上の構成であるから、下記に示す如き効果がある。
【００１５】
即ち、上記請求項１〜３に係る発明によれば、表面に印刷が施された枚葉印刷物を一枚ずつ搬送する枚葉印刷物の搬送装置において、前記枚葉印刷物を一枚おきに表裏反転させて表面同士が腹合わせに積載されるようにすることによって、食品等を収納する紙製容器とした際に、表面の印刷面の印刷インキやニス類等の成分が食品等内容物に接する裏面に移行することがなく、よって、内容物の臭気や味覚に変化のない紙製容器用の枚葉印刷物の搬送装置とすることができる。
【００１６】
また、上記請求項１に係る発明によれば、一枚おきに表裏反転させる機構が、チェーングリッパーを具備し平行に走行する２組のエンドレスチェーンでなり、その１組のエンドレスチェーンは直線状の経路を有し、もう一方の組のエンドレスチェーンは途中に凸状の経路を有し、前記直線状の経路を有するエンドレスチェーンに具備したチェーングリッパーで反転を要しない枚葉印刷物の前後端を摘み、途中に凸状の経路を有するエンドレスチェーンに具備したチェーングリッパーで反転を要する枚葉印刷物の前端を摘み、その後端を前記直線状の経路を有するエンドレスチェーンに具備したチェーングリッパーで摘み、前記凸状の経路の位置で前記反転を要する枚葉印刷物が表裏反転されることによって、１ラインで一枚おきに表裏反転されて積載され、表面の印刷インキやニス類等の成分が裏面に移行することのない枚葉印刷物の搬送装置とすることができる。
【００１７】
また、上記請求項２に係る発明によれば、一枚おきに表裏反転させる機構が、チェーングリッパーを具備し平行にもしくは並列に走行する２組のエンドレスチェーンでなり、その１組のエンドレスチェーンは直線状の経路を有し、もう一方の組のエンドレスチェーンは途中に左右が捩じれて反転する経路を有し、前記直線状の経路を有するエンドレスチェーンに具備したチェーングリッパーで反転を要しない枚葉印刷物の前端を摘み、途中に左右が捩じれて反転する経路を有するエンドレスチェーンに具備したチェーングリッパーで反転を要する枚葉印刷物の前端を摘み、前記左右が捩じれて反転する経路の位置で前記反転を要する枚葉印刷物の表裏が反転されることによって、１ラインもしくは２ラインで一枚おきに表裏反転されて積載され、表面の印刷インキやニス類等の成分が裏面に移行することのない枚葉印刷物の搬送装置とすることができる。
【００１８】
また、上記請求項３に係る発明によれば、一枚おきに表裏反転させる機構が、チェーングリッパーを具備し走行する１組のもしくは並列に走行する２組のエンドレスチェーンでなり、そのエンドレスチェーンに具備されたチェーングリッパーで枚葉印刷物の後端を摘んで押し、反転を要する枚葉印刷物と反転を要しない枚葉印刷物とが交互に入るケースに挿入し、前記反転を要する枚葉印刷物が挿入されたケースを左右もしくは前後に半回転せしめ、該ケース中の枚葉印刷物を後部エンドレスチェーンに具備されたチェーングリッパーで枚葉印刷物の前端を摘んで引き出すことによって、１ラインもしくは２ラインで一枚おきに表裏反転されて積載され、表面の印刷インキやニス類等の成分が裏面に移行することのない枚葉印刷物の搬送装置とすることができる。
【００１９】
従って本発明は、表面に印刷が施された枚葉印刷物が一枚おきに表裏反転する枚葉印刷物の搬送装置であって、この枚葉印刷物を食品や飲料等を収納する紙製容器の如き用途において、優れた実用上の効果を発揮する。
【発明を実施するための最良の形態】
【００２０】
以下本発明を実施するための最良の形態を図面を用いて詳細に説明する。
【００２１】
本発明は、枚葉印刷物を一枚おきに表裏反転させるための枚葉印刷物の搬送装置であり、その一つは、例えば、図１（ａ）に示すように、チェーングリッパー（４２、５２）を具備し平行に走行する２組のエンドレスチェーン（４０、５０）でなり、その１組のエンドレスチェーン（４０）は直線状の経路を有し、もう一方の組のエンドレスチェーン（５０）は途中に凸状の経路を有している。
【００２２】
例えば、図１（ｃ）に示すように、前記直線状の経路を有するエンドレスチェーン（４０）に具備したチェーングリッパー（４２）で反転を要しない枚葉印刷物（１０）の前後端を摘み、反転せずにそのままの状態で搬送され、また、図１（ｂ）に示すように、途中に凸状の経路を有するエンドレスチェーン（５０）に具備したチェーングリッパー（５２）で反転を要する枚葉印刷物（２０）の前端を摘み、その後端を前記直線状の経路を有するエンドレスチェーン（４０）に具備したチェーングリッパー（４２）で摘み、凸状の経路の位置で前記反転を要する枚葉印刷物（２０）が表裏反転された状態で搬送され、この表裏反転された枚葉印刷物（２０）と図１（ｃ）に示すそのままの状態の（反転されず）枚葉印刷物（１０）が交互に積載されるようにする枚葉印刷物の搬送装置である。
【００２３】
これら実際の枚葉印刷物の搬送装置は、図１（ａ）に示す２組のエンドレスチェーン（
４０、５０）でなる１ラインに、表裏反転を要する枚葉印刷物（２０）と反転を要しない枚葉印刷物（１０）を交互に搬入するもので、図１（ｂ）に示す表裏反転を要する枚葉印刷物（２０）の動きと図１（ｃ）に示す  反転を要しない枚葉印刷物（１０）の動きを合体した枚葉印刷物の搬送装置である。そこで少なくとも図１（ｂ）に示す表裏反転を要する枚葉印刷物（２０）を摘んでいるチェーングリッパー（５２、４２）は回転可能なものを使用する必要がある。
【００２４】
また、本発明の枚葉印刷物の搬送装置のもう一つの形態は、例えば、図２（ａ）に示すように、チェーングリッパー（４２、６２）を具備し平行に走行する２組のエンドレスチェーン（４０、６０）でなり、その１組のエンドレスチェーン（４０）は直線状の経路を有し、もう一方の組のエンドレスチェーン（５０）は途中に左右が捩じれて反転する経路を有している。
【００２５】
例えば、図２（ｃ）に示すように、前記直線状の経路を有するエンドレスチェーン（４０）に具備したチェーングリッパー（４２）で反転を要しない枚葉印刷物（１０）の前端を摘み、反転せずにそのままの状態で搬送され、また、図２（ｂ）に示すように、途中に左右が捩じれて反転する経路を有するエンドレスチェーン（６０）に具備したチェーングリッパー（６２）で反転を要する枚葉印刷物（２０）の前端を摘み、左右が捩じれて反転する経路の位置で表裏反転された状態で搬送され、この表裏反転された枚葉印刷物（２０）と図２（ｃ）に示すそのままの状態の（反転されず）枚葉印刷物（１０）が交互に積載されるようにする枚葉印刷物の搬送装置である。
【００２６】
これら実際の枚葉印刷物の搬送装置は、図２（ａ）に示す２組のエンドレスチェーン（４０、６０）でなる１ラインに、表裏反転を要する枚葉印刷物（２０）と反転を要しない枚葉印刷物（１０）を交互に搬入するもので、図２（ｂ）に示す表裏反転を要する枚葉印刷物（２０）の動きと図２（ｃ）に示す反転を要しない枚葉印刷物（１０）の動きを合体した枚葉印刷物の搬送装置である。
【００２７】
あるいは図２（ｂ）に示す左右が捩じれて反転する経路を有するエンドレスチェーン（６０）でなるラインと図２（ｃ）に示す直線状の経路を有するエンドレスチェーン（４０）でなるラインの２ラインで構成された枚葉印刷物の搬送装置とすることもできる。
【００２８】
さらにまた、本発明の枚葉印刷物の搬送装置のもう一つの形態は、例えば、図３（ａ）に示すように、チェーングリッパー（４２）を具備し走行する１組の直線状のエンドレスチェーン（４０）でなり、図３（ｃ）に示すように、そのエンドレスチェーン（４０）に具備されたチェーングリッパー（４２）で反転を要しない枚葉印刷物（１０）の後端を摘んで押し、この枚葉印刷物（１０）が入るケース（８０）に挿入し、このままの状態で後部エンドレスチェーン（７０）のグリッパー（７２）で前端を摘んで引き出し、図３（ｂ）に示すように、表裏反転を要する枚葉印刷物（２０）の後端を摘んで押し、この枚葉印刷物（１０）が入るケース（８０）に挿入し、この枚葉印刷物（１０）をケース（８０）ごと前後に半回転した状態で後部エンドレスチェーン（７０）に具備されたチェーングリッパー（７２）で枚葉印刷物の前端を摘んで引き出し、両者が交互に積載されるようにする枚葉印刷物の搬送装置である。表裏反転を要する枚葉印刷物（２０）が挿入されたケース（８０）の反転を左右に半回転するようにしてもよい。
【００２９】
これら実際の枚葉印刷物の搬送装置は、図３（ａ）に示す１組のエンドレスチェーン（４０）でなる１ラインに、表裏反転を要する枚葉印刷物（２０）と反転を要しない枚葉印刷物（１０）を交互に搬入するもので、図３（ｂ）に示す表裏反転を要する枚葉印刷物（２０）の動きと図３（ｃ）に示す反転を要しない枚葉印刷物（１０）の動きを合体した枚葉印刷物の搬送装置である。
【００３０】
あるいは図３（ｂ）に示す表裏反転を要する枚葉印刷物（２０）が挿入されたケース（８０）でなるラインと、図３（ｃ）に示す反転を要しない枚葉印刷物（１０）が挿入されたケース（８０）でなるライン、あるいは反転ケースを持たないライン（図示せず）の２ラインで構成された枚葉印刷物の搬送装置とすることもできる。
【００３１】
以下に、本発明の具体的実施例について説明する。
【実施例１】
【００３２】
評価用枚葉印刷物として、（表面）（１２μｍ）ＰＥ／（２７０ｇ／ｍ2 ）マニラボール紙／（２０μｍ）Ａｌ箔／（１２μｍ）ＰＥＴ／（１２μｍ）ＰＥ（裏面）を用意し、Ａ４サイズに断裁した。その表面のＰＥ側に通常は印刷が施され、反対のPE側は内容物が接する形となる。
【００３３】
〔試料１の作成〕
本発明の比較例のための試料として、表面にバーコーターを用いて、グラビアインキ：ＵＰＴＯＰ（東洋インキ製造社製）を塗布し、オーブンにて乾燥させた後、表面の印刷面を上にして手早く１２枚重ね合わせアルミホイルでくるみ、木製板（約５ｋｇ）を載せ、一定時間後に順次上から２枚ずつ取り出した。
【００３４】
〔試料２の作成〕
本発明の実施例の試料として、試料１と同様に表面にグラビアインキを塗布し、オーブンで乾燥した後、塗布面同士を腹合わせしたものを６組（１２枚）重ね合わせアルミホイルでくるみ、木製板（約５ｋｇ）を載せて荷重をかけた。試料２についても一定時間後に順次上から２枚ずつ取り出した。
【００３５】
上記実施例１の試料１及び２につき紙の中央部を１０ｃｍ角に切り取り、Ａｌ／ＰＥＴ／ＰＥを紙から剥がして、ガスクロマトグラフにて、裏移りした成分（今回は酢酸エチル）の量を調べた。その結果を表１に示した。
【００３６】
【表１】
0004760193.tif 000002
上記表１の結果から、本発明の枚葉印刷物の搬送装置による枚葉印刷物は、印刷インキ等印刷に関わる成分の裏移りに対し、優れているのは明確であった。これら成分の裏移りは瞬間的に接触するだけで発生することもわかり、成分の裏移りを防ぐには、印刷後、印刷面と内容物が接する側の面が接触することのないようにすることが好ましいことが判明した。
【図面の簡単な説明】
【００３７】
【図１】本発明の枚葉印刷物の搬送装置の一実施の形態を示す模式図で、（ａ）は、そのラインを示し、（ｂ）は、表裏反転を要する枚葉印刷物の動きを示し、（ｃ）は、反転を要しない枚葉印刷物の動きを示したものである。
【図２】本発明の枚葉印刷物の搬送装置の他の一実施の形態を示す模式図で、（ａ）は、そのラインを示し、（ｂ）は、表裏反転を要する枚葉印刷物の動きを示し、（ｃ）は、反転を要しない枚葉印刷物の動きを示したものである。
【図３】本発明の枚葉印刷物の搬送装置の他の一実施の形態を示す模式図で、（ａ）は、そのラインを示し、（ｂ）は、表裏反転を要する枚葉印刷物の動きを示し、（ｃ）は、反転を要しない枚葉印刷物の動きを示したものである。
【符号の説明】
【００３８】
１０‥‥反転を要しない枚葉印刷物
２０‥‥表裏反転を要する枚葉印刷物
４０‥‥直線状の経路を有するエンドレスチェーン
４２‥‥直線状の経路を有するエンドレスチェーンのグリッパー
５０‥‥凸状の経路を有するエンドレスチェーン
５２‥‥凸状の経路を有するエンドレスチェーンのグリッパー
６０‥‥左右に捩じれて反転する経路を有するエンドレスチェーン
６２‥‥左右に捩じれて反転する経路を有するエンドレスチェーンのグリッパー
７０‥‥後部エンドレスチェーン
７２‥‥後部エンドレスチェーンのグリッパー
８０‥‥反転ケース
【図１】
0004760193.tif 000003
【図２】
0004760193.tif 000004
【図３】
0004760193.tif 000005